(57)【要約】      （修正有）【課題】着用性の低下を招くことなく、簡易な構成で危険物を踏み抜くことを抑制することができる、加工が容易な中敷き及び履物を提供する。【解決手段】着用者によって着用される履物に装着される中敷き１０において、着用者の足の底が接触する中底面２１ａ及び中底面２１ａの反対側であって中底面２１ａと表裏をなす底面を有する足底部２１、及び足底部２１から上方に湾曲して立ち上がって足底部２１と連続して形成されて少なくとも着用者の足の側部に接触する立ち上がり部２２、を有する樹脂製の中敷き本体２０と、中敷き本体２０の足底部２１の底面から立ち上がり部２２に亘って配置される、ポリエステル繊維が積層されて形成された補強部材３０と、を備える。【選択図】図３
0003223142.tif 000002
【実用新案登録請求の範囲】
【請求項１】
着用者によって着用される履物に装着される中敷きにおいて、
前記着用者の足の底が接触する中底面及び該中底面の反対側であって該中底面と表裏をなす底面を有する足底部、及び該足底部から上方に湾曲して立ち上がって該足底部と連続して形成されて少なくとも前記着用者の前記足の側部に接触する立ち上がり部、を有する樹脂製の中敷き本体と、
該中敷き本体の前記足底部の前記底面から前記立ち上がり部に亘って配置される、ポリエステル繊維が積層されて形成された補強部材と、
を備えることを特徴とする中敷き。
【請求項２】
前記補強部材が配置された部位に対してＪＩＳ  Ｔ  ８１０１に準拠した耐踏み抜き試験を行う場合の耐踏み抜き荷重が１１００Ｎ以上であることを特徴とする請求項１に記載の中敷き。
【請求項３】
着用者の足が接触する中敷きが装着される履物において、
前記中敷きは、
前記着用者の前記足の底が接触する中底面及び該中底面の反対側であって該中底面と表裏をなす底面を有する足底部、及び該足底部から上方に湾曲して立ち上がって該足底部と連続して形成されて少なくとも前記着用者の前記足の側部が接触する立ち上がり部、を有する樹脂製の中敷き本体と、
該中敷き本体の前記足底部の前記底面から前記立ち上がり部に亘って配置される、ポリエステル繊維が積層されて形成された補強部材と、
を備えることを特徴とする履物。
【考案の詳細な説明】
【技術分野】
【０００１】
本考案は、中敷き及び履物、特に、着用者によって着用される履物に装着される中敷き及び着用者の足が接触する中敷きが装着される履物に関する。
【背景技術】
【０００２】
例えば、尖った木の枝が散在する山林や荒地等を歩行したり、釘やガラスの破片といった残材等が散在する工事現場等で作業したりする場合には、これら木の枝や釘等といった危険物を踏み抜くことによって怪我を負うことを抑制する観点から、履物に中敷きが内装されることがある。
【０００３】
特許文献１には、凹凸面を有する２枚の金属板を有する中敷きが内装された履物が開示されている。この特許文献１の履物の中敷きは、ピッチが細かい凹凸面を有する金属板を上部に配し、この金属板と対向させてピッチが粗い凹凸面を有する金属板を下部に配し、これら対向する金属板の間に合成樹脂等が充填されて平面状に形成される。
【先行技術文献】
【特許文献】
【０００４】
【特許文献１】実開昭６０−１５８４０３
【考案の概要】
【考案が解決しようとする課題】
【０００５】
ところで、特許文献１の履物の中敷きは平面状であって、履物の靴底側における踏み抜きが抑制されて中敷きに接触する着用者の足の底は保護されるものの、履物の側方から、危険物が貫通する可能性がある。
【０００６】
金属板を用いた中敷きにおいて、履物の靴底及び履物の側方から危険物が貫通することを抑制する形状に成形するには、金属板を湾曲させる必要があるところ、金属板を湾曲させるには比較的高度な加工技術が必要となる。
【０００７】
さらに、金属板を用いた中敷きを履物に内装するとすれば、履物の重量が増大することから、着用者の脚部に無用な負荷が付与されることとなって、履物の着用性が低下することが懸念される。
【０００８】
本考案は、上記事情に鑑みてなされたものであり、着用性の低下を招くことなく、簡易な構成で危険物を踏み抜くことを抑制することができる、加工が容易な中敷き及び履物を提供することを課題とするものである。
【課題を解決するための手段】
【０００９】
上記目的を達成するための中敷きは、着用者によって着用される履物に装着される中敷きにおいて、着用者の足の底が接触する中底面及び中底面の反対側であって中底面と表裏をなす底面を有する足底部、及び足底部から上方に湾曲して立ち上がって足底部と連続して形成されて少なくとも着用者の足の側部に接触する立ち上がり部、を有する樹脂製の中敷き本体と、中敷き本体の足底部の底面から立ち上がり部に亘って配置される、ポリエステル繊維が積層されて形成された補強部材と、を備えることを特徴としている。
【００１０】
これによれば、中敷きが装着された履物を着用者が着用して、危険物を履物の靴底で踏み込んで危険物が靴底を貫通したとしても、補強部材が配置された中敷きに危険物が当接することから、履物の靴底側からの踏み抜きが抑制される。一方、履物の側方から危険物が突き刺さったとしても、補強部材が配置された中敷きの立ち上がり部に当接することから、履物の側方からの貫通が抑制される。
【００１１】
したがって、着用者が危険物によって怪我を負うことが抑制される。
【００１２】
このような中敷きは、中敷き本体が樹脂製であって、中敷き本体に配置される補強部材がポリエステル繊維の積層体であることから、加工が容易であって、足底部及び足底部から上方に湾曲して立ち上がって足底部と連続する立ち上がり部を有する形状が容易に形成される。
【００１３】
しかも、中敷きは、樹脂製の中敷き本体及びポリエステル繊維の補強部材によって、軽量でかつ柔軟性に富むことから、履物に装着した場合であっても、履物の重量及び硬度が増大することが抑制される。
【００１４】
したがって、着脱が困難になったり、良好な着用感覚が損われたりすること等によって、着用者の脚部に無用な負担が付与されることがないことから、履物の着用性の低下を招くことがない。
【００１５】
さらに、中敷きは、補強部材が配置された部位に対してＪＩＳ  Ｔ  ８１０１に準拠した耐踏み抜き試験を行う場合の耐踏み抜き荷重が１１００Ｎ以上であることを特徴としている。したがって、耐貫通性に富む。
【００１６】
上記目的を達成するための履物は、着用者の足が接触する中敷きが装着される履物において、中敷きは、着用者の足の底が接触する中底面及び中底面の反対側であって中底面と表裏をなす底面を有する足底部、及び足底部から上方に湾曲して立ち上がって足底部と連続して形成されて少なくとも着用者の足の側部が接触する立ち上がり部、を有する樹脂製の中敷き本体と、中敷き本体の足底部の底面から立ち上がり部に亘って配置される、ポリエステル繊維が積層されて形成された補強部材と、を備えることを特徴としている。
【００１７】
これによれば、中敷きが装着された履物を着用者が着用して、危険物を履物の靴底で踏み込んで危険物が靴底を貫通したとしても、補強部材が配置された中敷きに危険物が当接することから、履物の靴底側からの踏み抜きが抑制される。一方、履物の側方から危険物が突き刺さったとしても、補強部材が配置された中敷きの立ち上がり部に当接することから、履物の側方からの貫通が抑制される。
【００１８】
したがって、着用者が危険物によって怪我を負うことが抑制される。
【考案の効果】
【００１９】
この考案によれば、着用者が危険物によって怪我を負うことが抑制される。
【図面の簡単な説明】
【００２０】
【図１】本考案の実施の形態に係る中敷きの構成の概略を説明する側面図である。
【図２】図１のＡ矢視図である。
【図３】図１のＢ矢視図である。
【図４】図２のＩＶ−ＩＶ線の断面図である。
【図５】本実施の形態に係る中敷きが装着される履物の構成の概略を説明する図である。
【考案を実施するための形態】
【００２１】
次に、図１〜図５に基づいて、本考案の実施の形態に係る中敷きについて説明する。
【００２２】
図１は、本実施の形態に係る中敷きの構成の概略を説明する側面図、図２は図１のＡ矢視図、図３は図１のＢ矢視図、図４は図２のＩＶ−ＩＶ線の断面図である。図示のように、中敷き１０は、中敷き本体２０及び補強部材３０を備える。
【００２３】
中敷き本体２０は、本実施の形態では、内表面２０Ａ及び外表面２０Ｂを有する樹脂製であって、足底部２１及び足底部２１と連続して形成された立ち上がり部２２を備えて立体的に形成される。
【００２４】
この中敷き本体２０は、外表面２０Ｂにおいて、外表面２０Ｂから凹んで薄肉状となる凹部２０Ｃが、足底部２１から立ち上がり部２２に亘って形成される。
【００２５】
足底部２１は、着用者の足の底の形状に倣った周縁２１Ａ、周縁２１Ａにおける着用者の爪先側の先端２１Ｂ及び周縁２１Ａにおける着用者の踵側の後端２１Ｃを有する。
【００２６】
この足底部２１は、中敷き本体２０の内表面２０Ａを構成する、着用者の足の底が接触する中底面２１ａ、及びこの中底面２１ａの反対側であって中底面２１ａと表裏をなして中敷き本体２０の外表面２０Ｂを構成する底面２１ｂを有し、中底面２１ａ側がほぼ平面状に形成される。
【００２７】
立ち上がり部２２は、本実施の形態では、足底部２１から上方に湾曲して立ち上がって足底部２１と連続して形成される。
【００２８】
この立ち上がり部２２は、本実施の形態では、足底部２１において着用者の土踏まずに対応する周縁２１Ａ上の位置ｘと、この位置ｘを通る仮想線α上に位置して位置ｘと足底部２１の幅方向において対向する周縁２１Ａ上の位置ｙとの間において、着用者の踵側の後端２１Ｃを介して周縁２１Ａに沿って形成されて、着用者の足の側部及び踵に接触する。
【００２９】
補強部材３０は、ポリエステル繊維が複数枚、本実施の形態では３枚が積層されて形成された積層体であって、中敷き本体２０の凹部２０Ｃに配置されることによって、足底部２１の底面２１ｂから立ち上がり部２２に亘って立体的に配置される。
【００３０】
この補強部材３０が中敷き本体２０に配置された本実施の形態に係る中敷き１０の部位について、ＪＩＳ  Ｔ  ８１０１に準拠した以下の条件の下で耐踏み抜き試験を実施した。
使用試験機：オートグラフ  ＡＧ−Ｘｐｌｕｓ（株式会社島津製作所）
試験機容量：ロードセル式  １０ｋＮ
試験速度：１０ｍｍ／ｍｉｎ
【００３１】
この耐踏み抜き試験の結果によれば、補強部材３０が中敷き本体２０に配置された中敷き１０の部位は、
耐踏み抜き荷重（Ｎ）：１９４０
であることが確認されている。
【００３２】
安全靴についての耐踏み抜き試験（ＪＩＳ  Ｔ  ８１０１）では、耐踏み抜き荷重が１１００Ｎ以上であることが要求されるところ、本実施の形態の中敷き１０は、上記のように１９４０Ｎであることが確認されていることから、要求荷重を大幅に上回っていることがわかる。
【００３３】
このような構成を有する中敷き１０は、本実施の形態では、履物である安全靴に装着される。
【００３４】
図５は、本実施の形態に係る中敷き１０が装着される安全靴の構成の概略を説明する図である。図示のように、安全靴１００は、靴底部１０１、靴底部１０１に設けられる足部１０２、足部１０２から連続して形成される胴部１０３を備える。
【００３５】
靴底部１０１は、着用者の爪先側の先端１０１Ａ及び着用者の踵側の後端１０１Ｂを有するゴム製であって、中底１０１ａ及びこの中底１０１ａの反対側であって中底１０１ａと表裏をなす靴底１０１ｂを有して形成される。
【００３６】
足部１０２及び胴部１０３は、これら足部１０２及び胴部１０３の内表面から外表面に向かって複数の部材が積層された積層構造であって、足部１０２によって着用者の足が覆われ、胴部１０３によって着用者の下腿が覆われる。
【００３７】
このような安全靴１００の中底１０１ａに、中敷き１０の中敷き本体２０における足底部２１の底面２１ｂ及びこの底面２１ｂに配置された補強部材３０が当接されて、中敷き１０が安全靴１００に装着される。
【００３８】
本実施の形態の中敷き１０が装着された安全靴１００を着用者が着用して、山林や工事現場等を歩行するような場合において、地面に散在する、先端の尖った木の枝や残材といった危険物を安全靴１００の靴底部１０１で踏み込んで危険物が靴底部１０１を貫通したとしても、補強部材３０が配置された中敷き１０に当接することによって、安全靴１００の靴底部１０１側からの踏み抜きが抑制される。
【００３９】
一方、安全靴１００の足部１０２から危険物が突き刺さったとしても、補強部材３０が配置された中敷き１０の立ち上がり部２２に当接することによって、安全靴１００の側方からの貫通が抑制される。
【００４０】
これにより、着用者が、山林や工事現場等を歩行する際に、地面に散在する危険物によって怪我を負うことが抑制される。
【００４１】
さらに、本実施の形態の中敷き１０は、中敷き本体２０が樹脂製であって、中敷き本体２０に配置される補強部材３０がポリエステル繊維の積層体であることから、加工が容易であって、足底部２１及び足底部２１から上方に湾曲して立ち上がって足底部２１と連続する立ち上がり部２２を有する立体的な形状が容易に形成される。
【００４２】
しかも、本実施の形態の中敷き１０は、樹脂製の中敷き本体２０及びポリエステル繊維の補強部材３０によって、軽量でかつ柔軟性に富むことから、安全靴１００に装着した場合であっても、安全靴１００の重量及び硬度が増大することが抑制される。
【００４３】
したがって、着脱が困難になったり、良好な着用感覚が損われたりすること等によって、着用者の脚部に無用な負担が付与されることがないことから、安全靴１００の着用性の低下を招くことがない。
【００４４】
さらに、本実施の形態では、補強部材３０が配置された中敷き１０の部位の耐踏み抜き荷重は、ＪＩＳ  Ｔ  ８１０１に準拠した耐踏み抜き試験の結果によれば１９４０Ｎであることから、耐貫通性に富む。
【００４５】
なお、本考案は上記実施の形態に限定されることはなく、考案の趣旨を逸脱しない範囲で種々の変更が可能である。上記実施の形態では、立ち上がり部２２が位置ｘと位置ｙとの間で着用者の踵側の後端２１Ｃを介して周縁２１Ａに沿って形成される場合を説明したが、これと併せて、位置ｘと位置ｙとの間で着用者の爪先側の先端２１Ｂを介して周縁２１Ａに沿って形成されるようにしてもよい。
【００４６】
上記実施の形態では、安全靴１００が足部１０２から連続して形成される胴部１０３を備えた長靴である場合を説明したが、胴部１０３を具備しない短靴であってもよい。
【符号の説明】
【００４７】
１０    中敷き
２０    中敷き本体
２１    足底部
２１Ａ    周縁
２１ａ    中底面
２１ｂ    底面
２２    立ち上がり部
３０    補強部材
１００    安全靴（履物）
１０１    靴底部
１０２    足部
【図１】
0003223142.tif 000003
【図２】
0003223142.tif 000004
【図３】
0003223142.tif 000005
【図４】
0003223142.tif 000006
【図５】
0003223142.tif 000007